(57)【要約】【課題】各運転モードに応じて風向変更羽根を最適位置に動作させることで、快適性を向上させる空気調和機の運転方法を提供すること。【解決手段】空気調和機１０の運転方法は、吹出口６に配置される風向変更羽根３０を有し、上下方向の風向を制御し、吹出口６の下端６ｂを通る水平面を仮想水平面Ｈとしたとき、冷房運転時には、風向変更羽根３０の空気調和機１０本体側に位置する端部を吹出口６の下端６ｂに当接させるとともに、風向変更羽根３０の他方の端部を水平面以上の高さとして運転するモードを有することを特徴とする。【選択図】        図１
2007255784.tif 000002
【特許請求の範囲】
【請求項１】
吹出口に配置される風向変更羽根を有し、上下方向の風向を制御する空気調和機の運転方法であって、前記吹出口の下端を通る水平面を仮想水平面としたとき、冷房運転時には、前記風向変更羽根の空気調和機本体側に位置する端部を前記吹出口の前記下端に当接させるとともに、前記風向変更羽根の他方の端部を前記水平面以上の高さとして運転するモードを有することを特徴とする空気調和機の運転方法。
【請求項２】
吹出口に配置される風向変更羽根を有し、上下方向の風向を制御する空気調和機の運転方法であって、前記吹出口の下端を通る水平面を仮想水平面としたとき、暖房運転時には、前記風向変更羽根の空気調和機本体側に位置する端部を前記吹出口の上端に当接させるとともに、前記風向変更羽根の他方の端部を前記水平面以下の高さとして運転するモードを有することを特徴とする空気調和機の運転方法。
【請求項３】
前記吹出口の上端を通る鉛直面を仮想鉛直面としたとき、前記モードにおいて、前記風向変更羽根の前記他方の端部を、前記鉛直面上の位置または前記鉛直面より吹き出し下流側の位置とすることを特徴とする請求項１または請求項２に記載の空気調和機の運転方法。
【請求項４】
前記風向変更羽根を湾曲面で構成し、前記モードでは、前記湾曲面で形成される凹面を上面とすることを特徴とする請求項１記載の空気調和機の運転方法。
【請求項５】
前記風向変更羽根を湾曲面で構成し、前記モードでは、前記湾曲面で形成される凹面を下面とすることを特徴とする請求項２記載の空気調和機の運転方法。
【請求項６】
変動可能な腕部を介して前記風向変更羽根を制御することを特徴とする請求項１または請求項２に記載の空気調和機の運転方法。
【請求項７】
前記腕部を回動する腕部用モータと、前記風向変更羽根を回動する羽根用モータとを備えたことを特徴とする請求項６に記載の空気調和機の運転方法。
【発明の詳細な説明】
【技術分野】
【０００１】
本発明は、室内の冷暖房を行う空気調和機の運転方法に関する。
【背景技術】
【０００２】
従来、上下風向制御板を上羽根と下羽根で構成し、上羽根と下羽根とを共に下方向に向けるとともに、上羽根を下羽根との平行位置より更に下方向に向け、下羽根を上羽根との平行位置より更に上方向に向けるようにした空気調和機がある（特許文献１）。
しかし、この空気調和機では、縮流効果により温風の風速を増し、速やかに床面付近の温度を上昇させることはできるが、冷房時には、冷風を部屋の遠方まで運びにくく、室内の居住者に冷風が直接あたって肌寒さを感じさせるという課題を有していた。
そこで本発明者らは、冷房時には気流感のない、暖房時には頭寒足熱の快適な住環境を創り出す空気調和機の風向制御装置を既に提案している（特許文献２）。
特許文献２で提案した空気調和機は、空気調和機の吹き出し口に、変動可能な腕部を介して上下方向の風向を制御する風向変更羽根を具備したものである。そしてこの構成によれば、変化に富んだ気流を生成することができる。
【特許文献１】特開平５−６０３６５号公報
【特許文献２】特開２００２−３１４００号公報
【発明の開示】
【発明が解決しようとする課題】
【０００３】
しかし、特許文献２で提案した空気調和機では、運転モードに応じた風向変更羽根の最適位置を提案するものでなく、風量の低下等により快適性を損なう可能性がある。
【０００４】
そこで本発明は、各運転モードに応じて風向変更羽根を最適位置に動作させることで、快適性を向上させる空気調和機の運転方法を提供することを目的とする。
【課題を解決するための手段】
【０００５】
請求項１記載の本発明の空気調和機の運転方法は、吹出口に配置される風向変更羽根を有し、上下方向の風向を制御する空気調和機の運転方法であって、前記吹出口の下端を通る水平面を仮想水平面としたとき、冷房運転時には、前記風向変更羽根の空気調和機本体側に位置する端部を前記吹出口の前記下端に当接させるとともに、前記風向変更羽根の他方の端部を前記水平面以上の高さとして運転するモードを有することを特徴とする。
請求項２記載の本発明の空気調和機の運転方法は、吹出口に配置される風向変更羽根を有し、上下方向の風向を制御する空気調和機の運転方法であって、前記吹出口の下端を通る水平面を仮想水平面としたとき、暖房運転時には、前記風向変更羽根の空気調和機本体側に位置する端部を前記吹出口の上端に当接させるとともに、前記風向変更羽根の他方の端部を前記水平面以下の高さとして運転するモードを有することを特徴とする。
請求項３記載の本発明は、請求項１または請求項２に記載の空気調和機の運転方法において、前記吹出口の上端を通る鉛直面を仮想鉛直面としたとき、前記モードにおいて、前記風向変更羽根の前記他方の端部を、前記鉛直面上の位置または前記鉛直面より吹き出し下流側の位置とすることを特徴とする。
請求項４記載の本発明は、請求項１に記載の空気調和機の運転方法において、前記風向変更羽根を湾曲面で構成し、前記モードでは、前記湾曲面で形成される凹面を上面とすることを特徴とする。
請求項５記載の本発明は、請求項２に記載の空気調和機の運転方法において、前記風向変更羽根を湾曲面で構成し、前記モードでは、前記湾曲面で形成される凹面を下面とすることを特徴とすることを特徴とする。
請求項６記載の本発明は、請求項１または請求項２に記載の空気調和機の運転方法において、変動可能な腕部を介して前記風向変更羽根を制御することを特徴とする。
請求項７記載の本発明は、請求項６に記載の空気調和機の運転方法において、前記腕部を回動する腕部用モータと、前記風向変更羽根を回動する羽根用モータとを備えたことを特徴とする。
【発明の効果】
【０００６】
本発明によれば、各運転モードに応じて風向変更羽根を最適位置に動作させることで、快適性を向上させる空気調和機の運転方法を提供できる。
【発明を実施するための最良の形態】
【０００７】
本発明の第１の実施の形態は、吹出口の下端を通る水平面を仮想水平面としたとき、冷房運転時には、風向変更羽根の空気調和機本体側に位置する端部を吹出口の下端に当接させるとともに、風向変更羽根の他方の端部を水平面以上の高さとして運転するモードを有するものである。本実施の形態によれば、冷房運転モードで、冷風を部屋の水平方向または略上方へ運ぶことができ、従って部屋の下方に溜まりやすい冷たい空気が、部屋の水平方向あるいは略上方向へ送られるため、使用者に冷風感を与えることなく、効果的に冷房運転ができ、部屋を効率的に冷やすことができる。
本発明の第２の実施の形態は、吹出口の下端を通る水平面を仮想水平面としたとき、暖房運転時には、風向変更羽根の空気調和機本体側に位置する端部を吹出口の上端に当接させるとともに、風向変更羽根の他方の端部を水平面以下の高さとして運転するモードを有するものである。本実施の形態によれば、暖房運転モードで、温風を部屋の水平方向または略下方へ運ぶことができ、従って部屋の上方に溜まりやすい暖かい空気が、部屋の水平方向あるいは略下方向へ送られるため、使用者に冷風感を与えることなく、効果的に冷房運転ができ、部屋を効率的に冷やすことができる。
本発明の第３の実施の形態は、第１または第２の実施の形態において、吹出口の上端を通る鉛直面を仮想鉛直面としたとき、モードにおいて、風向変更羽根の他方の端部を、鉛直面上の位置または鉛直面より吹き出し下流側の位置とするものである。本実施の形態によれば、吹出口から風向変更羽根先端部にて形成する送風流路を長く確保することで、より確実に目的の到達地へ送風できるものである。
本発明の第４の実施の形態は、第１の実施の形態において、風向変更羽根を湾曲面で構成し、モードでは、湾曲面で形成される凹面を上面とするものである。本実施の形態によれば、冷房運転モードにおいて、冷風を部屋の目的の到達地へ確実に送風できるものである。
本発明の第５の実施の形態は、第２の実施の形態において、風向変更羽根を湾曲面で構成し、モードでは、湾曲面で形成される凹面を下面とするものである。本実施の形態によれば、暖房運転モードにおいて温風を効率よく足下に導くことができる。
本発明の第６の実施の形態は、第１または第５の実施の形態において、変動可能な腕部を介して風向変更羽根を制御するものである。本実施の形態によれば、風向変更羽根の位置を吹出口の前方において自在に変更等の制御をすることができる。
本発明の第７の実施の形態は、第６の実施の形態において、腕部を回動する腕部用モータと、風向変更羽根を回動する羽根用モータとを備えたものである。本実施の形態によれば、腕部の動作と風向変更羽根の動作を独立して行えるため、短時間に動作変更を行うことができる。
【実施例】
【０００８】
以下本発明の実施例について図面を参照して説明する。
図１は、本発明の一実施例による空気調和機の横断面図、図２は同空気調和機の正面図である。
空気調和機１０は、その本体内部に熱交換器１と、送風ファン２と、水受け皿３と、ディフューザー４とを有している。熱交換器１は、送風ファン２の上流側に配置され、水受け皿３は、熱交換器１の下端部側に配置されている。ディフューザー４は、送風ファン２の下流側の通風路を形成している。
空気調和機１０は、その本体の前面上部と上面に吸込口５を形成し、その本体の前面下部から下面にかけて吹出口６を形成している。
熱交換器１は、吸込口５に対向する位置に配置され、ディフューザー４の下流側端部によって囲まれる仮想面が吹出口６を構成する。ここで吹出口６は、その上端６ｈが下端６ｂよりも前方側に位置するように構成されている。
空気調和機１０は、前面の吸込口５を開閉するパネル２０と、吹出口６を開閉する風向変更羽根３０と、前面の吸込口５の吹出口６側で開閉する中羽根４０とを備えている。風向変更羽根３０は１枚で構成されており、一端部３０ａから他端部３０ｂにかけて孤を描く横断面形状であり、一方の面は湾曲凹面が形成され、他方の面は湾曲凸面が形成されている。パネル２０、風向変更羽根３０、及び中羽根４０が全て閉塞した状態では、中羽根４０の少なくとも上端側はパネル２０によって覆われ、中羽根４０の少なくとも下端側は風向変更羽根３０によって覆われる。また、中羽根４０は、開状態では、パネル２０の下端側から吸込口５に流入する空気を阻止する。風向変更羽根３０が閉塞した状態では、風向変更羽根３０の一端部３０ａは、吹出口６の下端６ｂと当接する。
図１において、吹出口６の下端６ｂを通る水平面を仮想水平面Ｈとし、吹出口６の上端６ｈを通る鉛直面を仮想鉛直面Ｖとする。
パネル駆動機構２１は、パネル２０の背面側に設けられ、吸込口５を開閉するようにパネル２０を動作する。パネル２０が吸込口５に最も近接した状態では、吸込口５を閉塞し、パネル２０が吸込口５から離間した状態では、パネル２０の外周部から吸込口５に空気が流入する。
【０００９】
腕部３１は、その一端側を空気調和機１０の本体内に回動自在に保持され、その他端側に風向変更羽根３０を回動自在に保持している。
腕部３１は、図１に示すように、第１の腕部３１ａと第２の腕部３１ｂで構成することが好ましい。第１の腕部３１ａの一端側は空気調和機１０の本体内で回動自在に保持されている。第１の腕部３１ａの他端側は第２の腕部３１ｂの一端側と回動自在に連結されている。そして第２の腕部３１ｂの他端側に、風向変更羽根３０を回動自在に保持している。風向変更羽根３０は、閉塞時に空気調和機１０の本体側となる裏面に回転支持部３２を形成している。第２の腕部３１ｂの他端側とこの回転支持部３２とが回動自在に連結されている。
腕部３１は、図２に示すように、空気調和機１０の本体の両側部に設けられ、それぞれの腕部３１は、連結棒３３によって連結されている。また、一方の腕部３１の側部には腕部用モータ３４が配置されている。腕部用モータ３４の回動は、一方の腕部３１だけでなく、連結棒３３によって他方に配置された腕部３１にも伝達される。一方の腕部３１の側部には羽根用モータ３５も配置されている。羽根用モータ３５は、駆動伝達機構（図示せず）によって、その回転を第２の腕部３１ｂの他端側と回転支持部３２との回動支点に伝達し、腕部３１に対して風向変更羽根３０を回動させる。
回転支持部３２は、図２に示すように、風向変更羽根３０の両端部から所定寸法を有して風向変更羽根３０の裏面の両側部に設けられている。なお、図２では、一対の回転支持部３２を示しているが、風向変更羽根３０の長さに応じて一対の回転支持部３２の間に更に他の回転支持部３２を設けてもよい。
【００１０】
中羽根駆動機構４１は、中羽根４０の背面側に設けられ、吸込口５を開閉するように中羽根４０を動作する。
中羽根駆動機構４１とパネル駆動機構２１との動作タイミングは、動作制御部（図示せず）によって制御される。また、この動作制御部によって、腕部用モータ３４及び羽根用モータ３５の駆動も制御する。
なお、図示はしないが、空気調和機１には、左右方向風向変更羽根や熱交換温度検出器を有するとともに、圧縮機、膨張機、及び室外側熱交換器などを備えた室外ユニットを備えている。
【００１１】
次に図３から図１１を用いて動作を説明する。図３から図１１は、本実施例における空気調和機の吹出動作を示す横断面図である。
まず、水平吹出に至る動作について説明する。本実施例における水平吹出とは、吹出空気を部屋の遠方まで運ぶ吹出であり、主に冷風吹出（冷房運転モード）に利用する。
図３は空気調和装置の停止状態を示し、図６は水平吹出状態を示す。
水平吹出動作は、図３に示す状態から、図４に示す状態、図５に示す状態を経て、図６に示す状態に至る。
図３に示すように、空気調和装置の停止状態では、パネル２０、風向変更羽根３０、及び中羽根４０は全て閉塞した状態にある。
吹出方向モードを水平吹出（例えば冷房運転）に設定して空気調和機の運転をスタートさせると、図４に示すように、パネル駆動機構２１の動作によってパネル２０が吸込口５から離間する方向に動作する。また、パネル駆動機構２１とともに腕部用モータ３４によって腕部３１が動作し、風向変更羽根３０が吹出口６から離間する方向に動作する。
次に、図５に示すように、パネル駆動機構２１の動作によってパネル２０は、吸込口５から最も離間する位置まで動作するとともに、中羽根駆動機構４１の動作によって中羽根４０は、その上端部が吸込口５から離間する方向に動作する。
そして、図６に示すように、中羽根駆動機構４１の動作によって中羽根４０は、その上端部がパネル２０と当接する位置まで動作する。一方、羽根用モータ３５によって風向変更羽根３０が回動し、風向変更羽根３０の空気調和機１０本体側に位置する一端部３０ａが吹出口６の下端６ｂに当接する。この状態では、風向変更羽根３０の他端部３０ｂは水平面Ｈ以上の高さであり、鉛直面Ｖ上の位置または鉛直面Ｖより吹き出し下流側の位置としている。冷房運転時には、このように図６に示すモードを有している。
【００１２】
図６に示す状態で、水平方向あるいは斜め上方への吹出が行われる。
吹出口６から吹き出される空気は、風向変更羽根３０の一端部３０ａを吹出口６の下端６ｂに当接させるとともに、風向変更羽根３０の他端部３０ｂを水平面Ｈ以上の高さとしているので水平方向または水平方向よりも上方に導かれるとともに、風向変更羽根３０の湾曲面で形成される凹面を上面としているため、斜め下方向へは流れないので、効果的に部屋の遠方まで空気を送ることができる。
従って部屋の下方に溜まりやすい冷たい空気が、部屋の水平方向あるいは斜め上方向へ送られるため、使用者に冷風感を与えることなく、効果的に冷房運転ができ、部屋を効率的に冷やすことができる。
また、吹出口６の上方、すなわちパネル２０の下方は、中羽根４０によって閉塞されているため、吹出口６から吹き出した空気の一部が、吸込口５に導かれることを防止することができ、ショートサーキットを無くすことができる。
なお、空気調和機１０の本体への吸い込み空気は、空気調和機１０の本体上面の吸込口５から導入されるとともに、パネル２０の上部と両側部の空間を通って本体前面の吸込口５から導入される。
なお、水平吹出状態から停止状態への動作は、図６に示す水平吹出状態から、図５に示す状態、図４に示す状態を経て、図３に示す停止状態に至る。それぞれの動作は、停止状態から水平吹出状態への動作と逆の動作であるので説明を省略する。
【００１３】
次に、下方吹出に至る動作について説明する。本実施例における下方吹出とは、吹出空気を足下に運ぶ吹出であり、主に温風吹出（暖房運転モード）に利用する。
図３は空気調和装置の停止状態を示し、図８は下方吹出状態を示す。
下方吹出動作は、図３に示す状態から、図４に示す状態、図７に示す状態を経て、図８に示す状態に至る。
図３及び図４に示す状態に至る動作は、上記水平吹出と同様であるので説明を省略する。
図４の状態の後に、図７に示すように、パネル駆動機構２１の動作によってパネル２０は、吸込口５から最も離間する位置まで動作する。一方、腕部用モータ３４によって腕部３１を更に動作し、風向変更羽根３０を吹出口６から最も離間する位置に動作させ、この位置にて羽根用モータ３５によって風向変更羽根３０を回動し、風向変更羽根３０の空気調和機１０本体側に位置する他端部３０ｂを吹出口６の上端６ｈに近接させる。なお、中羽根駆動機構４１は動作しない。
そして、図８に示すように、腕部用モータ３４によって腕部３１を動作し、風向変更羽根３０を吹出口６に近接する方向に動作させることで、風向変更羽根３０の他端部３０ｂを吹出口６の上端６ｈに当接または押圧する。この状態では、風向変更羽根３０の一端部３０ａは水平面Ｈ以下の高さであり、鉛直面Ｖ上の位置または鉛直面Ｖより吹き出し下流側の位置としている。暖房運転時には、このように図８に示すモードを有している。
【００１４】
図８に示す状態で、下方向への吹出が行われる。
吹出口６から吹き出される空気は、風向変更羽根３０の空気調和機１０本体側に位置する他端部３０ｂを吹出口６の上端６ｈに当接させるとともに、風向変更羽根３０の一端部３０ａを水平面Ｈ以下の高さとしているので下方向に導かれるとともに、風向変更羽根３０の湾曲面で形成される凹面を下面としているため、斜め下方向へは流れないので、効果的に部屋の下方向に空気を送ることができる。
従って、部屋の上方に溜まりやすい暖かい空気が、部屋の下方向へ送られるため、効果的に暖房運転ができ、部屋を効率的に暖めることができる。
また、吹出口６の上方、すなわちパネル２０の下方は、中羽根４０によって閉塞されないため、空気調和機１０の本体への吸い込み空気は、パネル２０の上部及び両側部だけでなく下部の空間を通って本体前面の吸込口５から導入される。なお、吹出口６から吹き出される空気は、風向変更羽根３０によって下方向に導かれるため、中羽根４０によって閉塞しなくても、吹出口６から吹き出した空気の一部が、吸込口５に導かれることはない。
なお、下方吹出状態から停止状態への動作は、図８に示す水平吹出状態から、図７に示す状態、図４に示す状態を経て、図３に示す停止状態に至る。それぞれの動作は、停止状態から下方吹出状態への動作と逆の動作であるので説明を省略する。
【００１５】
次に、斜め吹出に至る動作について説明する。本実施例における斜め吹出とは、吹出空気を人体に向ける吹出であり、例えば室温と温風温度差が少ない場合に利用する。
図３は空気調和装置の停止状態を示し、図１０は斜め吹出状態を示す。
斜め吹出動作は、図３に示す状態から、図４に示す状態、図９に示す状態を経て、図１０に示す状態に至る。
図３及び図４に示す状態に至る動作は、上記水平吹出や下方吹出と同様であるので説明を省略する。
図４の状態の後に、図９に示すように、パネル駆動機構２１の動作によってパネル２０は、吸込口５から最も離間する位置まで動作する。一方、腕部用モータ３４によって腕部３１を更に動作し、風向変更羽根３０を吹出口６から最も離間する位置に動作させ、この位置にて羽根用モータ３５によって風向変更羽根３０を回動し、風向変更羽根３０を斜め吹出方向とする。なお、中羽根駆動機構４１は動作しない。
そして、図１０に示すように、羽根用モータ３５によって風向変更羽根３０を所定角度でスウィング動作させながら、斜め方向への吹出が行われる。
【００１６】
吹出口６から吹き出される空気は、風向変更羽根３０によって斜め方向に導かれるとともに、風向変更羽根３０の下流側端部が下方向へ湾曲しているため、水平方向へは流れないので、効果的に人体に向けて空気を送ることができる。
また、吹出口６の上方、すなわちパネル２０の下方は、中羽根４０によって閉塞されないため、空気調和機１０の本体への吸い込み空気は、パネル２０の上部及び両側部だけでなく下部の空間を通って本体前面の吸込口５から導入される。なお、吹出口６から吹き出される空気は、風向変更羽根３０によって斜め下方向に導かれるため、中羽根４０によって閉塞しなくても、吹出口６から吹き出した空気の一部が、吸込口５に導かれることはない。
なお、斜め吹出状態から停止状態への動作は、図１０に示す水平吹出状態から、図９に示す状態、図４に示す状態を経て、図３に示す停止状態に至る。それぞれの動作は、停止状態から斜め吹出状態への動作と逆の動作であるので説明を省略する。
【００１７】
次に、各吹出状態を変更する場合の動作について説明する。
水平吹出状態から下方吹出状態への動作は、図６に示す水平吹出状態から、図１１に示す状態、図７に示す状態を経て、図８に示す下方吹出状態に至る。
図６に示すように、水平吹出状態では、パネル２０は、吸込口５から最も離間する位置にあり、中羽根４０は、その上端部がパネル２０と当接する位置に動作している。また、風向変更羽根３０は、空気調和機１０本体側の風向変更羽根３０の一端部３０ａが吹出口６の下端６ｂに当接する位置に保持されている。
図６に示す状態で、下方吹出の動作が指示されると、図１１に示すように、中羽根駆動機構４１の動作によって中羽根４０は、その上端部が吸込口５に近接する方向に動作する。一方、腕部用モータ３４によって腕部３１が動作し、風向変更羽根３０が吹出口６から最も離間する位置に動作する。
次に、図７に示すように、中羽根駆動機構４１の動作によって中羽根４０は、その上端部が吸込口５に最も近接する位置、すなわち全閉状態まで動作する。一方、風向変更羽根３０が吹出口６から最も離間する位置にて、羽根用モータ３５によって風向変更羽根３０を回動し、風向変更羽根３０の空気調和機１０本体側の他端部３０ｂを吹出口６の上端６ｈに近接させる。
図７に示す状態から図８に示す状態に至る動作は、下方吹出と同様であるので説明を省略する。
なお、下方吹出状態から水平吹出状態への動作は、図８に示す下方吹出状態から、図７に示す状態、図１１に示す状態を経て、図６に示す下方吹出状態に至る。それぞれの動作は、水平吹出状態から下方吹出状態への動作と逆の動作であるので説明を省略する。
【００１８】
水平吹出状態から斜め吹出状態への動作は、図６に示す水平吹出状態から、図１１に示す状態、図９に示す状態を経て、図１０に示す斜め吹出状態に至る。
図６に示す状態で、斜め吹出の動作が指示されると、図１１に示すように、中羽根駆動機構４１の動作によって中羽根４０は、その上端部が吸込口５に近接する方向に動作する。一方、腕部用モータ３４によって腕部３１が動作し、風向変更羽根３０が吹出口６から最も離間する位置に動作する。
次に、図９に示すように、中羽根駆動機構４１の動作によって中羽根４０は、その上端部が吸込口５に最も近接する位置、すなわち全閉状態まで動作する。一方、風向変更羽根３０が吹出口６から最も離間する位置にて、羽根用モータ３５によって風向変更羽根３０を回動し、風向変更羽根３０の角度を斜め方向とする。
図９に示す状態から図１０に示す状態に至る動作は、斜め吹出と同様であるので説明を省略する。
なお、斜め吹出状態から水平吹出状態への動作は、図１０に示す斜め吹出状態から、図９に示す状態、図１１に示す状態を経て、図６に示す下方吹出状態に至る。それぞれの動作は、水平吹出状態から斜め吹出状態への動作と逆の動作であるので説明を省略する。
【００１９】
斜め吹出状態から下方吹出状態への動作は、図１０に示す斜め吹出状態から、図９に示す状態、図７に示す状態を経て、図８に示す下方吹出状態に至る。
図１０に示すように、斜め吹出状態では、パネル２０は、吸込口５から最も離間する位置にあり、中羽根４０は全閉状態のままである。また、風向変更羽根３０は、羽根用モータ３５によって所定角度でスウィング動作しながら、斜め方向への吹出が行われている。
図１０に示す状態で、下方吹出の動作が指示されると、図９に示すように、羽根用モータ３５によって風向変更羽根３０を回動する。
次に、図７に示すように、羽根用モータ３５によって風向変更羽根３０を更に回動し、風向変更羽根３０の空気調和機１０本体側の他端部３０ｂを吹出口６の上端６ｈに近接させる。
図７に示す状態から図８に示す状態に至る動作は、下方吹出と同様であるので説明を省略する。
なお、下方吹出状態から斜め吹出状態への動作は、図８に示す下方吹出状態から、図７に示す状態、図９に示す状態を経て、図１０に示す斜め吹出状態に至る。それぞれの動作は、斜め吹出状態から下方吹出状態への動作と逆の動作であるので説明を省略する。
【００２０】
上記実施例によれば、風向変更羽根３０と吹出口６の位置関係により空気調和機の運転モードに適した風向制御を実現できるとともに、吹出空気が吸込口から吸い込まれないようにして、ショートサーキットを防止することができる。
【産業上の利用可能性】
【００２１】
本発明の空気調和機は、室内の冷暖房の他、除湿や除塵機能を有する空気清浄装置にも適用できる。
【図面の簡単な説明】
【００２２】
【図１】本発明の一実施例による空気調和機の横断面図
【図２】同空気調和機の正面図
【図３】本実施例における空気調和機の停止状態を示す横断面図
【図４】本実施例における空気調和機の吹出動作を示す横断面図
【図５】本実施例における空気調和機の吹出動作を示す横断面図
【図６】本実施例における空気調和機の水平吹出状態を示す横断面図
【図７】本実施例における空気調和機の吹出動作を示す横断面図
【図８】本実施例における空気調和機の下方吹出状態を示す横断面図
【図９】本実施例における空気調和機の吹出動作を示す横断面図
【図１０】本実施例における空気調和機の斜め吹出状態を示す横断面図
【図１１】本実施例における空気調和機の吹出動作を示す横断面図
【符号の説明】
【００２３】
１  熱交換器
２  送風ファン
５  吸込口
６  吹出口
２０  パネル
２１  パネル駆動機構
３０  風向変更羽根
３１  腕部
３２  回転支持部
３３  連結棒
３４  腕部用モータ
４０  中羽根
４１  中羽根駆動機構
【図１】
2007255784.tif 000003
【図２】
2007255784.tif 000004
【図３】
2007255784.tif 000005
【図４】
2007255784.tif 000006
【図５】
2007255784.tif 000007
【図６】
2007255784.tif 000008
【図７】
2007255784.tif 000009
【図８】
2007255784.tif 000010
【図９】
2007255784.tif 000011
【図１０】
2007255784.tif 000012
【図１１】
2007255784.tif 000013